(57)【要約】      （修正有）【課題】両軸受リールをコンパクト化した両軸受けリールの提供。【解決手段】フレーム２０は、第１側板２１と、第２側板２２と、レベルワインドガード２３と、装着部２５とを有している。第１側板２１、第２側板２２、レベルワインドガード２３、及び装着部２５は、1つの部材によって形成されている。第１側板２１は、厚肉部２１１と、貫通孔２１２とを有している。厚肉部２１１は、内側面においてスプールの前方に形成されている。貫通孔２１２は、厚肉部２１１を軸方向に貫通している。また、貫通孔２１２は、レベルワインド機構の案内部材の外径よりも大きい内径を有する。【選択図】図４
2019030252.tif 000002
【特許請求の範囲】
【請求項１】
釣竿に装着され、前方に釣り糸を繰り出す両軸受リールであって、
フレームを有するリール本体と、
前記リール本体に支持されるスプールと、
前記スプールの前方において軸方向に延びる筒状の案内部材、及び前記案内部材に沿って摺動する摺動部材、を有するレベルワインド機構と、
を備え、
前記フレームは、
第１側板と、
軸方向において前記第１側板と間隔をあけて配置される第２側板と、
前記第１側板と前記第２側板とを連結し、前記レベルワインド機構の前方に配置されるレベルワインドガードと、
前記第１側板と前記第２側板とを連結し、前記釣竿に装着されるように構成された装着部と、
を有し、
前記第１側板、前記第２側板、前記レベルワインドガード、及び前記装着部は、1つの部材によって形成されており、
前記第１側板は、内側面において前記スプールの前方に形成された厚肉部と、前記厚肉部を軸方向に貫通し前記案内部材の外径よりも大きい内径を有する貫通孔を有している、
両軸受リール。
【請求項２】
前記貫通孔は、前記厚肉部の前端を越えて形成される、
請求項１に記載の両軸受リール。
【請求項３】
軸方向視において、前記摺動部材は、前記厚肉部と重ならない、
請求項１又は２に記載の両軸受リール。
【請求項４】
前記案内部材は、前記貫通孔と同軸上に配置される、
請求項１から３のいずれかに記載の両軸受リール。
【請求項５】
前記第１側板と前記第２側板とを連結し、前記レベルワインド機構の上方に配置されるサムレストをさらに備え、
前記サムレストは、前記第１側板、前記第２側板、前記レベルワインドガード、及び前記装着部と、1つの部材によって形成されている、
請求項１から４のいずれかに記載の両軸受リール。
【発明の詳細な説明】
【技術分野】
【０００１】
本発明は、両軸受リールに関するものである。
【背景技術】
【０００２】
両軸受リールは、リール本体と、スプールと、レベルワインド機構とを有している。スプールはリール本体に回転可能に支持されている。レベルワインド機構は、スプールに釣り糸を巻き取る際に、釣り糸が均等に巻き取られるように釣り糸を軸方向に動かす機構である。
【０００３】
特許文献１に開示された両軸受リールのリール本体のフレームは、１つの部材で形成されている。このフレームは、第１側板、第２側板、レベルワインドガード、サムレスト、及び装着部を有している。第１側板は、内側において、スプールのフランジ部の外周面を覆うための厚肉部を有している。
【先行技術文献】
【特許文献】
【０００４】
【特許文献１】特許第２９１９７４１号公報
【発明の概要】
【発明が解決しようとする課題】
【０００５】
上述したような１つの部材で形成されたフレームを金型で生産する場合、金型をフレームの下方から取り出す必要がある。この結果、第１側面の厚肉部は、スプールの前方において上下方向に延びるように形成される。レベルワインド機構は、摺動部材が厚肉部と干渉することを避けるため、厚肉部よりも前方に配置される。このような構成の両軸受リールにおいて、前後方向のサイズをコンパクト化することが要望されている。
【０００６】
本発明の課題は、両軸受リールをコンパクト化することにある。
【課題を解決するための手段】
【０００７】
本発明のある側面に係る両軸受リールは、釣竿に装着され、前方に釣り糸を繰り出すように構成されている。この両軸受リールは、リール本体と、スプールと、レベルワインド機構とを備えている。リール本体は、フレームを有する。スプールは、リール本体に支持される。レベルワインド機構は、筒状の案内部材、及び摺動部材を有する。案内部材は、スプールの前方において軸方向に延びる。摺動部材は、案内部材に沿って摺動する。フレームは、第１側板と、第２側板と、レベルワインドガードと、装着部とを有している。第２側板は、軸方向において第１側板と間隔をあけて配置される。レベルワインドガードは、第１側板と第２側板とを連結する。また、レベルワインドガードは、レベルワインド機構の前方に配置される。装着部は、第１側板と第２側板とを連結する。また、装着部は、釣竿に装着されるように構成される。第１側板、第２側板、レベルワインドガード、及び装着部は、1つの部材によって形成されている。第１側板は、厚肉部と、貫通孔とを有している。厚肉部は、内側面においてスプールの前方に形成されている。貫通孔は、厚肉部を軸方向に貫通している。また、貫通孔は、案内部材の外径よりも大きい内径を有する。
【０００８】
この構成によれば、厚肉部を貫通する貫通孔の内径が案内部材の外径よりも大きい。この貫通孔によって、摺動部材の一部が厚肉部を干渉することを回避できる。この結果、レベルワインド機構を厚肉部よりも前方に設置する必要が無くなり、ひいては両軸受リールの前後方向のサイズをコンパクト化することができる。
【０００９】
好ましくは、貫通孔は、厚肉部の前端を越えて形成される。
【００１０】
好ましくは、軸方向視において、摺動部材は、厚肉部と重ならない。
【００１１】
好ましくは、案内部材は、貫通孔と同軸上に配置される。
【００１２】
好ましくは、両軸受リールは、サムレストをさらに備える。サムレストは、第１側板と第２側板とを連結する。サムレストは、レベルワインド機構の上方に配置される。サムレストは、第１側板、第２側板、レベルワインドガード、及び装着部と、1つの部材によって形成されている。
【発明の効果】
【００１３】
本発明によれば、両軸受リールをコンパクト化することができる。
【図面の簡単な説明】
【００１４】
【図１】両軸受リールの斜視図。
【図２】フレームの正面図。
【図３】図２のIII−III線断面図。
【図４】フレームの拡大斜視図。
【図５】両軸受リールの断面図。
【図６】案内部材の正面図。
【図７】摺動部材の断面図。
【図８】フレームと摺動部材との関係を示す側面断面図。
【発明を実施するための形態】
【００１５】
以下、本発明に係る両軸受リールの実施形態について図面を参照しつつ説明する。なお、以下の説明において、軸方向とは、スプールの回転軸が延びる方向を意味する。また、釣糸を繰り出す方向を前方とし、その反対を後方とする。釣竿に両軸受リールを装着した際、釣竿に近付く方向を下方、釣竿から離れる方向を上方とする。
【００１６】
図１に示すように、両軸受リール１００は、リール本体２と、スプール３と、レベルワインド機構４（図５参照）と、ハンドル５とを備えている。
【００１７】
［リール本体］
図２に示すように、リール本体２は、フレーム２０を有している。フレーム２０は、第１側板２１、第２側板２２、レベルワインドガード２３、サムレスト２４、及び装着部２５を有している。また、第１側板２１、第２側板２２、レベルワインドガード２３、サムレスト２４、及び装着部２５は、１つの部材によって一体的に形成されている。具体的には、フレーム２０は、金型を用いて一体的に形成されている。
【００１８】
第１側板２１と第２側板２２とは、軸方向（ｙ軸方向）において、互いに間隔をあけて配置されている。レベルワインドガード２３は、軸方向に延びており、第１側板２１と第２側板２２とを連結している。また、レベルワインドガード２３は、レベルワインド機構４の前方に配置される。
【００１９】
サムレスト２４は、軸方向に延びており、第１側板２１と第２側板２２とを連結している。また、サムレスト２４は、レベルワインドガード２３の上方に配置される。このサムレスト２４とレベルワインドガード２３との間から釣り糸が繰り出されている。このサムレスト２４は、釣り人の親指を置くことができるように構成されている。
【００２０】
装着部２５は、軸方向に延びており、第１側板２１と第２側板２２とを連結している。また、装着部２５は、釣竿に装着されるように構成されており、前後方向（ｘ軸方向）に延びている。装着部２５は、装着面２５１を有している。この装着面２５１は、両軸受リール１００が釣竿に装着された状態において、釣竿と対向する。すなわち、装着面２５１は、下方を向いている。
【００２１】
図１に示すように、第１側板２１には、第１カバー２６が取り付けられている。また、第２側板２２には、第２カバー２７が取り付けられている。第１側板２１と第１カバー２６とによって画定された収容空間内には、ハンドル５の回転をスプール３及びレベルワインド機構４に伝達するように構成された回転伝達機構（図示省略）などが収容されている。
【００２２】
図３及び図４に示すように、第１側板２１は、内側面において、厚肉部２１１を有している。なお、第１側板２１の内側面は、第２側板２２側を向く面である。厚肉部２１１は、スプール３の前方に位置している。厚肉部２１１は、スプール３のフランジの外周面に沿って延びるとともに、上下方向（ｚ軸方向）に延びている。なお、この厚肉部２１１の前方に、厚肉部２１１よりも板厚の薄い薄肉部２１３が形成されている。厚肉部２１１と薄肉部２１３との境界は、上下方向に延びている。
【００２３】
第１側板２１は、貫通孔２１２を有している。この貫通孔２１２は、厚肉部２１１を軸方向に貫通している。貫通孔２１２の内径は、後述するレベルワインド機構４の案内部材４２の外径よりも大きい。また、貫通孔２１２の内径は、レベルワインド機構４の摺動部材４３の摺動部４３１の外径よりも大きい。例えば、貫通孔２１２の内径は、１１〜１３ｍｍ程度である。
【００２４】
貫通孔２１２は、厚肉部２１１の先端を越えて形成されている。すなわち、貫通孔２１２は、厚肉部２１１と薄肉部２１３とに亘って形成されている。貫通孔２１２より上方において厚肉部２１１が削られているため、貫通孔２１２の上方は薄肉部２１３となっている。
【００２５】
［スプール］
図１に示すように、スプール３は、リール本体２に回転可能に支持されている。詳細には、第１側板２１と第２側板２２との間に配置されている。そして、スプール３は、リール本体２に回転可能に支持されたスプール軸（図示省略）に取り付けられている。スプール３のフランジ３１の外周面は、上述したように厚肉部２１１によって覆われている
【００２６】
［レベルワインド機構］
図５に示すように、レベルワインド機構４は、釣り糸をスプール３上に均一に巻き付けるために往復動する機構である。レベルワインド機構４は、ウォームシャフト４１、案内部材４２、及び摺動部材４３を有している。
【００２７】
ウォームシャフト４１は、円柱状に形成されており、外周面に螺旋溝を有する。ウォームシャフト４１は、軸方向に延びている。また、ウォームシャフト４１は、第１側板２１と第２側板２２との間を延びている。
【００２８】
ウォームシャフト４１の第１及び第２端部４１１，４１２は、案内部材４２に回転可能に支持されている。ウォームシャフト４１の第１端部４１１は、第１側板２１と第１カバー２６との間の収容空間内に位置している。このウォームシャフト４１の第１端部４１１には、回転伝達機構の一部であるギア（図示省略）が装着されている。そして、ウォームシャフト４１は、回転伝達機構を介して、ハンドル５からの回転が伝達される。
【００２９】
図６に示すように、案内部材４２は、摺動部材４３を案内するための部材である。案内部材４２は、円筒状に形成されている。案内部材４２は、案内本体部４２０、第１端部４２１、及び第２端部４２２を有している。案内本体部４２０は、摺動部材４３が摺動する部分である。
【００３０】
案内部材４２は、開口部４２３を有している。開口部４２３は、前方に向かって開口している。開口部４２３は、軸方向に延びている。この開口部４２３を介して、摺動部材４３は、ウォームシャフト４１と係合している。
【００３１】
案内部材４２の外径は、第１側板２１の貫通孔２１２の内径よりも小さい。案内部材４２の外径は、例えば、７〜９ｍｍ程度である。好ましくは、案内部材４２の外径と、貫通孔２１２の内径との差は、３〜５ｍｍ程度である。なお、案内部材４２の外径とは、案内本体部４２０における外径を意味している。すなわち、案内部材４２の案内本体部４２０の外径は、貫通孔２１２の直径よりも小さい。なお、案内部材４２の第１端部４２１の外径は、案内本体部４２０の外径よりも大きい。
【００３２】
図５に示すように、案内部材４２の第１端部４２１の外径は、第１側板２１の貫通孔２１２の内径と略等しい。そして、案内部材４２の第１端部４２１は、貫通孔２１２を塞ぐように貫通孔２１２に嵌合している。
【００３３】
案内部材４２の第１端部４２１は、第１側板２１に回転不能に支持されている。また、案内部材４２の第２端部４２２は、第２側板２２に回転不能に支持されている。案内部材４２は、スプール３の前方において、軸方向に延びている。この案内部材４２内をウォームシャフト４１が延びている。すなわち、案内部材４２は、ウォームシャフト４１の径方向外側に配置されている。
【００３４】
図７に示すように、摺動部材４３は、案内部材４２に沿って摺動するように構成される。詳細には、摺動部材４３は、案内部材４２の案内本体部４２０に沿って、軸方向に往復移動する。摺動部材４３は、摺動部４３１、釣り糸案内部４３２、支持部４３３、及び筒状部４３４を有している。摺動部４３１、釣り糸案内部４３２、支持部４３３、及び筒状部４３４は、１つの部材によって一体的に形成されている。
【００３５】
摺動部４３１は、案内部材４２に沿って摺動する部分である。摺動部４３１は、貫通孔４３５を有している。貫通孔４３５は、軸方向に開口している。摺動部４３１は、実質的に軸方向に延びる円筒状である。この貫通孔４３５内を案内部材４２が貫通している。貫通孔４３５の内径は、案内部材４２の案内本体部４２０の外径と略等しい。また、摺動部４３１の外径は、第１側板２１に形成された貫通孔２１２の内径よりも小さい。このため、摺動部４３１と厚肉部２１１との干渉を回避できる。
【００３６】
釣り糸案内部４３２は、摺動部４３１の上方に配置されている。釣り糸案内部４３２は、前後方向に開口する貫通孔４３６を有している。貫通孔４３６の内径は、前方に向かって徐々に小さくなっている。この貫通孔４３６内を釣り糸が延びている。
【００３７】
支持部４３３は、摺動部４３１から下方且つ後方に延びている。この支持部４３３は、貫通孔４３７を有している。この貫通孔４３７は、軸方向に開口している。この貫通孔４３７内を、第１側板２１と第２側板２２との間を軸方向に延びる支持ロッド４４（図５参照）が貫通する。
【００３８】
筒状部４３４は、摺動部４３１から前方に延びている。筒状部４３４は、貫通孔４３８を有している。この貫通孔４３８の一方の開口面は、前方に向かって開口しており、他方の開口面は、摺動部４３１の貫通孔４３５内に開口している。この筒状部４３４の貫通孔４３８内に係合部４３９が配置される。この係合部４３９は、ウォームシャフト４１の螺旋溝に係合している。このため、ウォームシャフト４１が回転することによって、摺動部材４３が軸方向に往復動する。
【００３９】
図８に示すように、軸方向視（ｙ軸方向視）において、摺動部材４３は、第１側板２１の厚肉部２１１と重ならない。詳細には、摺動部材４３の第１側板２１側の端面は、厚肉部２１１と軸方向視において重ならない。このため、摺動部材４３は、軸方向に往復動しても、厚肉部２１１と干渉することがない。なお、支持部４３３は、軸方向において摺動部４３１の中央部から延びており、摺動部材４３の第１側板２１側の端面を構成していない。このため、支持部４３３は、厚肉部２１１と軸方向視において重なっているが、摺動部材４３が摺動する際に厚肉部２１１と干渉しない。
【００４０】
［変形例］
以上、本発明の実施形態について説明したが、本発明はこれらに限定されるものではなく、本発明の趣旨を逸脱しない限りにおいて種々の変更が可能である。
【００４１】
（ａ）フレーム２０はサムレスト２４を有していなくてもよい。もしくは、サムレスト２４は、第１側板２１、第２側板２２、レベルワインドガード２３、及び装着部２５と別部材であってもよい。
【００４２】
（ｂ）上記実施形態では、案内部材４２の第１端部４２１を案内本体部４２０より大径に形成して貫通孔２１２に嵌合させているが、この構成に限定されない。例えば、案内部材４２の第１端部４２１と第２端部４２２とを略同径に形成し、案内部材４２の第１端部４２１の外周面と貫通孔２１２の内周面との隙間に嵌合するカラー部材を設けてもよい。また、案内部材４２と貫通孔２１２とを互いに偏芯させて配置してもよい。
【符号の説明】
【００４３】
２    リール本体
２０    フレーム
２１    第1側板
２２    第２側板
２３    レベルワインドガード
２４    サムレスト
３    スプール
４    レベルワインド機構
４２    案内部材
４３    摺動部材
【図１】
2019030252.tif 000003
【図２】
2019030252.tif 000004
【図３】
2019030252.tif 000005
【図４】
2019030252.tif 000006
【図５】
2019030252.tif 000007
【図６】
2019030252.tif 000008
【図７】
2019030252.tif 000009
【図８】
2019030252.tif 000010